(57)【特許請求の範囲】
【請求項１】
出力軸ハウジングとバルブハウジングセクションとを含むハウジングアセンブリであって、前記出力軸ハウジングは出力軸を回転可能に支持するよう構成され、前記バルブハウジングセクションは流体入口と流体出口を画定するハウジングアセンブリと、
前記ハウジングアセンブリに関連付けられ、リング部材と星形部材を含む容積移送式装置であって、前記星形部材が、回転軸に対する相対的周回及び回転運動のため、前記リング部材内で偏心して配置され、前記周回及び回転運動によって膨張及び縮小する流体容積室を画定する容積移送式装置と、
バルブスプールを含むバルブ機構であって、前記バルブスプールが前記バルブハウジングセクションに回転可能に配置され、前記ハウジングアセンブリと協働して、前記流体入口と前記膨張する流体容積室との間、及び前記縮小する流体容積室と前記流体出口との間で、流体連通を提供するバルブ機構と、
その前方端と後方端との間に軸部が延び、軸方向に沿って前記後方端から該後方端の反対側の中空閉鎖端まで延びる中空部を含む主駆動軸であって、前記前方端で前記出力軸に係合し、前記後方端で前記星形部材に係合し、前記出力軸と前記リング部材との間でトルクを伝達する主駆動軸と、
前方端と後方端を有するバルブ駆動軸であって、前記バルブ駆動軸が、少なくとも部分的に前記主駆動軸の前記中空部内で受けられ、前記バルブ駆動軸の前記前方端において前記中空部内で前記主駆動軸に係合し、前記バルブ駆動軸が前記バルブ駆動軸の前記後方端で前記バルブスプールに係合し、前記主駆動軸と前記バルブスプールとの間でトルクを伝達するバルブ駆動軸と、を備える回転流体圧力装置。
【請求項２】
前記主駆動軸と前記バルブ駆動軸との間の前記係合が、前記容積移送式装置に概ね整列している、請求項１に記載の回転流体圧力装置。
【請求項３】
前記主駆動軸との、その前記中空部内での前記バルブ駆動軸の前記係合が、前記容積移送式装置の軸方向端面によってそれぞれ画定される、対向する面の間に配置されている、請求項２に記載の回転流体圧力装置。
【請求項４】
前記バルブ駆動軸が前記バルブ駆動軸の前記前方端に外向きに形成される前方スプラインを有し、前記主駆動軸の前記中空部が前記バルブ駆動軸の前記前方スプラインに係合するよう構成された内側スプラインを有する、請求項１〜３のいずれかに記載の回転流体圧力装置。
【請求項５】
前記主駆動軸がその前記後方端で外向きに形成される後方スプラインを有し、前記星形部材がその内周面上に形成される内側スプラインを有し、前記主駆動軸の前記後方スプラインに係合するよう構成される、請求項４に記載の回転流体圧力装置。
【請求項６】
前記主駆動軸の前記中空部の前記内側スプラインと前記バルブ駆動軸の前記前方スプラインとの間の前記係合が、前記主駆動軸の前記後方スプラインと前記星形部材の前記内側スプラインとの間の前記係合に概ね整列している、請求項５に記載の回転流体圧力装置。
【請求項７】
前記主駆動軸が前記主駆動軸の前記前方端に外向きに形成された前方スプラインを有し、前記出力軸が前記主駆動軸の前記前方スプラインに係合するよう構成された内側スプラインを有する、請求項１〜６のいずれかに記載の回転流体圧力装置。
【請求項８】
前記バルブ駆動軸が、その前記後方端に外向きに形成された後方スプラインを有し、前記バルブスプールがその内周に対して形成された内側スプラインを有し、前記バルブ駆動軸の前記後方スプラインに係合するよう構成された、請求項１〜７のいずれかに記載の回転流体圧力装置。
【請求項９】
前記バルブ駆動軸の前記前方スプラインが冠状スプラインであり、前記中空部の前記内側スプラインが直線状スプラインである、請求項４〜６のいずれかに記載の回転流体圧力装置。
【請求項１０】
前記主駆動軸の前記後方スプラインが冠状スプラインであり、前記星形部材の前記内側スプラインが直線状スプラインである、請求項５又は６に記載の回転流体圧力装置。
【請求項１１】
前記星形部材との前記主駆動軸の前記係合及び前記主駆動軸と前記バルブ駆動軸との前記係合を保持し、前記バルブスプールのリフトオフを防止するよう構成された駆動リテーナをさらに備える、請求項１〜１０のいずれかに記載の回転流体圧力装置。
【請求項１２】
前記星形部材が前記容積移送式装置の前記リング部材周りを回転及び周回するとき、前記駆動リテーナが前記星形部材の軸方向端面に接触するよう配置され、構成される、請求項１１に記載の回転流体圧力装置。
【請求項１３】
前記バルブ駆動軸が所定の位置に取り付けられるとき、前記駆動リテーナが、前記バルブ駆動軸のステムが貫通するよう構成された開口部を含む、請求項１１又は１２に記載の回転流体圧力装置。
【請求項１４】
前記星形部材、前記主駆動軸、及び前記バルブ駆動軸が共に前記容積移送式装置の前記リング部材に対して周回するとき、前記駆動リテーナの前記開口部が、前記主駆動軸の前記中空部内で前記バルブ駆動軸の前記前方端を保持するよう構成される、請求項１３に記載の回転流体圧力装置。
【請求項１５】
前記駆動リテーナの前記開口部が直径を有する孔として構成され、取付中は前記バルブ駆動軸が前記孔を貫通するよう、前記孔の前記直径が前記前方端における前記バルブ駆動軸の最大直径よりも大きく、前記バルブ駆動軸が前記容積移送式装置の前記リング部材周りを回転及び周回するときは、前記孔の前記直径が前記前方端で前記バルブ駆動軸によって画定される、最大の、最も外側のトレースよりも小さい、請求項１３又は１４に記載の回転流体圧力装置。
【発明の詳細な説明】
【技術分野】
【０００１】
関連出願の相互参照
この出願は、２０１５年１１月１６日にＰＣＴ国際特許出願として出願され、２０１４年１１月１７日に出願された米国特許出願第６２／０８０，９８６号の利益を主張し、その開示はその内容全体を参考として本明細書に組み込まれる。
【背景技術】
【０００２】
ジェロータモータは通常、入口及び出口ポートを画定するハウジングと、伸縮する容積室を画定するジェロータギアセットを含む。モータはさらに、ポートとジェロータギアセットの容積室との間で流体連通を提供するバルブ装置を含む。ある場合には、ジェロータギアセットは、内歯リング部材の周りを回転及び周回する外歯星形部材を含む。
【０００３】
あるジェロータモータでは、ジェロータモータは主駆動軸及びバルブ駆動軸を含む、２つの部分から成るバルブ駆動と、出力軸に対向して、ジェロータ機構の後ろに配置されたバルブ装置を有する。この構成では、米国特許第４，９９２，０３４号に開示されている通り、主駆動軸は周回及び回転する星形部材から回転する出力軸へトルクを伝達するのに使用され、バルブ装置は、バルブ装置及び星形部材の両方とスプライン係合しているバルブ駆動軸による星形部材の回転速度で駆動され得る。
【０００４】
そのような２つの部分から成るバルブ駆動を用いるジェロータモータでは、星形部材が回転及び周回するとき、星形部材によって画定されるスプラインの軸方向長さの一部は、バルブ駆動軸を回転及び周回させるよう駆動するのに必要となる。そのため、星形部材と駆動バルブ軸の間のスプライン接続に、星形部材のスプラインのかなりの部分が取られる。
【発明の概要】
【０００５】
本開示は一般に、低速度で高トルクのジェロータモータのような回転流体圧力装置に関する。１つの可能な構成では、及び、非限定的な実施例によって、回転流体圧力装置は、主駆動軸に部分的に挿入され、その主駆動軸に係合されるバルブ駆動軸を含み、そのバルブ駆動軸は、バルブ装置のリフトオフを防止するよう駆動リテーナによって保持される。様々な態様が本開示で説明されており、以下の態様を含むが、これらに限定されない。
【０００６】
ある態様では、回転流体圧力装置は、ハウジングアセンブリ、容積移送式装置、バルブ機構、主駆動軸、及びバルブ駆動軸を含む。ハウジングアセンブリは、出力軸ハウジング及びバルブハウジングセクションを含むことができる。出力軸ハウジングは、出力軸を回転可能に支持するよう構成され、バルブハウジングセクションは流体入口及び流体出口を画定する。容積移送式装置は、ハウジングアセンブリに関連付けられ、リング部材及び星形部材を含む。星形部材は、相対的周回及び回転運動ができるよう、リング部材内で偏心して配置され、その周回及び回転運動によって伸縮する流体容積室を画定する。バルブ機構はバルブハウジングセクションに回転可能に配置されたバルブスプールを含むことができ、ハウジングアセンブリと協働して、流体入口と膨張する流体容積室との間、及び縮小する流体容積室と流体出口との間で流体連通を提供する。主駆動軸は前方端及び後方端を有する。主駆動軸は、前方端で出力軸と係合し、後方端で星形部材と係合し、出力軸とリング部材の間でトルクを伝達するよう構成される。
【０００７】
主駆動軸及びバルブ駆動軸に係合する星形部材の軸方向の長さを短くするため、主駆動軸は後方端に、バルブ駆動軸を受けるための中空部を有してもよい。バルブ駆動軸は前方端及び後方端を有しており、バルブ駆動軸がバルブ駆動軸の後方端でバルブスプールに係合して、主駆動軸とバルブスプールとの間でトルクを伝達する一方、バルブ駆動軸は少なくとも部分的に主駆動軸の中空部内で受けられ、バルブ駆動軸の前方端において中空部内で主駆動軸に係合している。ある実施例では、主駆動軸とバルブ駆動軸との間の係合は容積移送式装置と概ね整列している。
【０００８】
バルブ機構のリフトオフを防止するため、回転流体圧力装置は、主駆動軸と星形部材の係合、及びバルブ駆動軸と主駆動軸の係合を保持するよう構成された駆動リテーナを含み得る。ある実施例では、星形部材が容積移送式装置のリング部材周りを回転及び周回するとき、駆動リテーナを星形部材の軸方向端面と接触するよう配置し、構成してもよい。
【０００９】
本教示の上記特徴及び利点並びに他の特徴と利点は、添付の図面と関連づけるとき、本教示を実施するための最良の態様の、以下の詳細な説明から容易に明らかになる。
【図面の簡単な説明】
【００１０】
【図１】図１は、本開示の原理にしたがった、例示的な低速度、高トルクのジェロータモータ１００の斜視図である。
【図２】図２は、図１のジェロータモータ１００の横断面図である。
【図３】図３は、図１のジェロータモータを後方から見た分解図である。
【図４】図４は、図１のジェロータモータを前方から見た分解図である。
【発明を実施するための形態】
【００１１】
様々な実施例が図面を参照して詳細に説明されるが、同様な参照番号は幾つかの図面にわたり同様の部品及び組立体を表している。
【００１２】
図１を参照すると、例示的な低速度、高トルクの ジェロータ油圧モータ１００ が本開示の原理にしたがって与えられている。本明細書では、油圧モータ１００は、回転流体圧力装置とも称される。油圧モータ１００は、軸サポートケーシング１０２、ウェアプレート１０４、ジェロータ移送機構１０６、ポートプレート１０８、バルブハウジングセクション１１０を含み得る。軸サポートケーシング１０２は、モータ１００を所定位置に取り付けるよう構成された取付フランジ１１２を含む。軸サポートケーシング１０２、ウェアプレート１０４、ジェロータ移送機構１０６、ポートプレート１０８、及びバルブハウジングセクション１１０は、締結孔１１５を貫通するよう構成された複数の締結具１１４によって共に固定され得る（図３）。
【００１３】
図２を参照すると、油圧モータ１００は、軸サポートケーシング１０２内に配置され、その中で１つ又は複数のベアリング要素１１８及び１２０によって回転可能に支持されている出力軸１１６を含む。ベアリング要素１１８の後端に隣接して配置されているのは、出力軸１１６及びベアリング要素１１８及び１２０を軸サポートケーシング１０２内で所定の位置に保持するよう構成されたウェアプレート１０４である。
【００１４】
ウェアプレート１０４は、ジェロータ移送機構１０６（例、そのリング部材１２６及び星形部材１２８）の近接する端面に係合するよう構成された軸方向端面１２２を画定する。いくつかの例では、環状シーリング部材（例、Ｏリング）１２４が、ウェアプレート１０４の係合している端面と軸サポートケーシング１０２の間に配置されている。
【００１５】
ジェロータ移送機構１０６は、回転式の容積移送式装置になり得、内歯リング部材１２６及び外歯星形部材１２８を含む。いくつかの例では、リング部材１２６は、内歯として機能する複数のローラ１３０を含む。星形部材１２８は、リング部材１２６内に偏心して配置され、リング部材１２６よりも歯が１つ少なくてもよい。いくつかの例では、星形部材１２８は、リング部材１２６に対して周回及び回転し、この周回及び回転する動きにより、複数の、伸縮する流体容積室１３２を画定する。リング部材が固定され、星形部材が周回及び回転すると説明されているが、リング部材又は星形部材のどちらかが、開示の原理にしたがって、周回及び回転の動きのどちらか、又は両方を有することができることが、当業者によって明白に理解されるべきである。さらに、本開示は、流体移送機構としてのジェロータに必ずしも限定されないことが明らかである。例示的ジェロータ移送機構１０４はさらに、米国特許第４，５３３，３０２号及び第４，９９２，０３４号に記載されており、その両方がこの参照により内容全体に取り込まれる。
【００１６】
図３及び４を参照すると、ポートプレート１０８は、複数の流体通路１３６を画定し、その流体通路１３６はそれぞれ、近接する容積室１３２と連続的に流体連通するように配置されている。図示例では、リング部材１２６が７つの内歯を有し、したがって７つの流体容積室１３２を画定しているため、ポートプレート１０８は７つの流体通路１３６を含む。
【００１７】
図２に図示される通り、環状シーリング部材（例、Ｏリング）１３３は、ウェアプレート１０４の対向する軸方向端面とジェロータ移送機構１０６の間に配置されている。別の環状シーリング部材（例、Ｏリング）１３５も、ジェロータ移送機構１０６の対向する軸方向端面とポートプレート１０８の間に配置されている。
【００１８】
図２に戻ると、バルブハウジングセクション１１０は、バルブスプール１４０を回転可能に支持するよう構成されている。バルブハウジングセクション１１０は、バルブスプール１４０を囲む環状室１４４と連通している流体入口ポート１４２（図１も参照）を含む。バルブハウジングセクション１１０はさらに、バルブハウジングセクション１１０及びバルブスプール１４０の間に配置された中央室１４８と流体連通している流体出口ポート１４６（図１も参照）を含む。バルブハウジングセクション１１０はまた、戻り圧力でケースドレン流体をポート１４２又は１４６のどちらにでも流すようプラグ接続されたケースドレンポート１５０（図３）を含む。バルブスプール１４０は、複数の第１バルブ通路１５２及び複数の第２バルブ通路１５４を画定する。第１及び第２バルブ通路１５２及び１５４は、バルブスプール１４０周りに交互に配置されている。第１バルブ通路１５２は、環状室１４４と連続的に流体連通しており、第２バルブ通路１５４は、中央室１４８と連続的に流体連通している。図示例では、６つの第１バルブ通路１５２と６つの第２バルブ通路１５４があり、星形部材１２８の６つの外歯と対応している。バルブスプール１４０はまた、１つ又は複数の、角度を有するドレン通路１５６を画定し得る。
【００１９】
バルブスプール１４０は、バルブスプール１４０をポートプレート１０８の隣接面１６４と封止係合した状態に維持するよう、ポートプレート１０８に向かって付勢されてもよく、それによって流体室１４４及び１４８の間のクロスポート漏れを防ぐ。いくつかの例では、バルブスプール１４０をポートプレート１０８に向かって付勢させるよう、バルブ着座機構１６０が用いられている。バルブ着座機構１６０は、バルブハウジングセクション１１０によって画定される環状溝１６２内に着座している。バルブ着座機構１６０は、ドレン通路１５６と流体連通することができる。バルブ着座機構１６０の一例は、米国特許第３，５７２，９８３号及び第４，５３３，３０２号に開示されており、その両方がこの参照により内容全体に取り込まれる。
【００２０】
再び図２を参照すると、油圧モータ１００は、主駆動軸１７０とバルブ駆動軸１７２を含む。出力軸１１６は、直線状の内側スプライン１７４の一式を含み、その一式は、主駆動軸１７０の前方スプライン１７６の一式と係合するよう構成されている。主駆動軸１７０の前方スプライン１７６は、主駆動軸１７０の前方端１７５上に形成される冠状の外側スプラインとなり得る。主駆動軸１７０の後方端１７７に形成されているのは、主駆動軸１７０の後方スプライン１７８の一式である。後方スプライン１７８は、星形部材１２８の内周面上に形成される、直線状の内側スプライン１８０の一式と係合するよう構成された冠状の外側スプラインになり得る。図示例では、リング部材１２６は７つの内歯を含み、星形部材１２８は６つの外歯を含む。したがって、星形部材１２８の６つが周回すると、その回転が１回完了することになり、そして主駆動軸１７０及び出力軸１１６の回転が１回完了することになる。
【００２１】
図２及び３を参照すると、バルブ駆動軸１７２は、主駆動軸１７０とバルブ駆動軸１７２との間のインターフェースがジェロータ移送機構１０６と概ね整列するよう、少なくとも部分的に主駆動軸１７０内で受けられ、主駆動軸１７０と係合する。
【００２２】
いくつかの例では、主駆動軸１７０は後方端１７７に中空部１８４を含み、中空部１８４の内周面上に形成された内側スプライン１８６の一式を有する。主駆動軸１７０の内側スプライン１８６は、直線状のスプラインでもよい。主駆動軸１７０の中空部１８４は、バルブ駆動軸１７２の前方端１９２の少なくとも一部を受けるよう構成され、後方端１７７にある主駆動軸１７０の内側スプライン１８６は、バルブ駆動軸１７２の前方端１９２周りに形成された前方外側スプライン１９６の一式に係合する。いくつかの例では、バルブ駆動軸１７２の前方スプライン１９６は冠状スプラインでもよい。バルブ駆動軸１７２は、後方外側スプライン１９８の一式をその後方端１９４に有し、その後方外側スプライン１９８の一式は、バルブスプール１４０の内周部に周りに形成された内側スプライン２００の一式に係合するよう構成されている。いくつかの例では、バルブ駆動軸１７２の後方スプライン１９８は冠状の外側スプラインでもよく、バルブスプール１４０の内側スプライン２００は直線状のスプラインでもよい。
【００２３】
図示されたように、主駆動軸１７０の内側スプライン１８６とバルブ駆動軸１７２の外側スプライン１９６との間の係合は、対向する平面Ｐ１とＰ２の間に配置されており、その対向する平面Ｐ１とＰ２は、ジェロータ移送機構１０６の軸方向端面２０６及び２０８（図３及び４も参照）によってそれぞれ画定されている。例えば、第１平面Ｐ１はジェロータ移送機構１０６の軸方向端面２０６によって画定され、第２平面Ｐ２はジェロータ移送機構１０６の軸方向端面２０８によって画定される。いくつかの例では、主駆動軸１７０の内側スプライン１８６とバルブ駆動軸１７２の外側スプライン１９６との間のインターフェースは、主駆動軸１７０の外側スプライン１７８と星形部材１２８の内側スプライン１８０との間のインターフェースに概ね整列している。
【００２４】
したがって、バルブ駆動軸１７２の外側スプライン１９６を主駆動軸１７０の中空部１８４内に入れ子にする構成により、ジェロータ移送機構１０６の星形部材１２８の内側スプライン１８０の軸方向長さをより短くすることが求められ、したがって、星形部材１２８のスプライン１８０の使用効率が最大限となる。ある事例では、星形部材１２８の内側スプライン１８０のより短い軸方向長さが求められるとき、主駆動軸１７０のスプライン１８６とバルブ駆動軸１７２のスプライン１９６の長さを最大にすることができる。要求されるスプライン長さが短くなるため、本開示の設計により、改良した起動トルク効率のための小型移送モータ上に高偏心度が与えられる。さらに、本構成により、回転Ａの軸に沿った、より幅の小さいジェロータ移送機構１０６の使用が可能となる。本開示にしたがった設計はまた、主駆動軸１７０とバルブ駆動軸１７２の両方の動作角度を小さくするので、それによって油圧モータ１００の寿命が長くなる。本設計は、ケース流（例、漏洩スロット）の必要性も低減させることができ、したがって、容量効率が上がる。
【００２５】
再び図２から４を参照すると、油圧モータ１００は、ポートプレート１０８から離れて、バルブスプール１４０がリフトオフするのを防止する駆動リテーナ２２０を含む。本開示では、リフトオフは静止しているポートプレート１０８からバルブスプール１４０が軸方向に離間することとして定義することができる。リフトオフは、主駆動軸１７０及びバルブ駆動軸１７２が回転及び周回し、ジェロータ移送機構１０６と協働するにつれ、主駆動軸１７０及び／又はバルブ駆動軸１７２がバルブスプール１４０に向かって軸方向にスライドするときに起こり得る。リフトオフは、実質的なクロスポート漏洩やモータ１００の停止を引き起こし得る。
【００２６】
いくつかの例では、駆動リテーナ２２０は、ポートプレート１０８上に形成された凹部２２２内に挿入され、着座され得る。駆動リテーナ２２０は、星形部材１２８がジェロータ移送機構１０６のリング部材１２６周りを回転及び周回するとき、星形部材１２８の軸方向端面に隣接して配置される。いくつかの例では、駆動リテーナ２２０は、星形部材１２８の回転及び周回中、星形部材１２８の軸方向端面に接触するよう配置され、構成される。
【００２７】
ポートプレート１０８を製造するための既存の鋳物及び／又は素材を利用できるようにポートプレート１０８を改造するよう、駆動リテーナ２２０が構成され得、それによってコストの増加を抑え、駆動リテーナ２２０の実装が早められる。他の例では、ポートプレート１０８は、駆動リテーナ２２０を所定の位置に取り付けるよう特別に設計される。
【００２８】
図示されているように、駆動リテーナ２２０は、バルブ駆動軸１７２が所定の位置に取り付けられるとき、バルブ駆動軸１７２のステム２２６（図３）が通過するように構成された開口部２２４を含む。星形部材１２８、主駆動軸１７０、及びバルブ駆動軸１７２が共にジェロータ移送機構１０６のリング部材１２６を周回するとき、駆動リテーナ２２０の開口部２２４は、主駆動軸１７０の中空部１８６内でバルブ駆動軸１９２の前方端１９２を保持するよう構成される。いくつかの例では、駆動リテーナ２２０の開口部２２４の中心が、回転Ａの軸に整列している。
【００２９】
いくつかの例では、駆動リテーナ２２０の開口部２２４は、直径Ｄ（図３）を有する孔として設計されている。取付中にバルブ駆動軸１７２が駆動リテーナ２２０の開口部２２４を貫通するよう、直径Ｄは前方端１９２においてバルブ駆動軸１７２の最大径より大きくなるよう構成される。開口部２２４はまた、バルブ駆動軸１７２がジェロータ移送機構１０６のリング部材１２８周りを回転及び周回するとき、前方端１９２においてバルブ駆動軸１７２（例、その外側スプライン１９６）によって画定される最大の、最も外側のトレースより小さくなるよう構成される。本構成は、主駆動軸１７０の中空部１８６から、したがってジェロータ移送機構１０６から、バルブ駆動軸１７２が係合解除する又は滑り出るのを防ぐ。バルブ駆動軸１７２の、最大の、最も外側の周回トレースは、バルブ駆動軸１７２が傾き、回転Ａの軸から逸脱してジェロータ移送機構１０６のリング部材１２６周りを周回するとき、前方端１９２においてバルブ駆動軸１７２の外側スプライン１９６によって画定される。
【００３０】
いくつかの例では、主駆動軸１７０が回転及び周回運動中にジェロータ移送機構１０６から滑り出すことをも防げるよう、開口部２２４は後方端１７７において主駆動軸１７０の最大径より小さい直径を有する。別の例では、開口部２２４は、主駆動軸１７０がジェロータ移送機構１０６のリング部材１２８周りを周回するとき、後方端１７７において主駆動軸１７０（例、その外側スプライン１７８）によって画定される最大トレースより小さい直径を有する。
【００３１】
したがって、駆動リテーナ２２０は、ポートプレート１０８といった、別のバルブ部品からバルブスプール１４０がリフトオフするのを防止するよう構成されている。リフトオフは、通常であれば容積効率を低減させ、フリーホイーリングを引き起こすであろう。
【００３２】
本明細書では、軸サポートケーシング１０２及びウェアプレート１０４は、１ユニットとし、出力軸ハウジングと称することができる。いくつかの例では、軸サポートケーシング１０２及びウェアプレート１０４は、一体の部分として構成することができる。出力軸ハウジング（軸サポートケーシング１０２及びウェアプレート１０４を含む）及びバルブハウジングセクション１１０は、１ユニットとして考慮し、ここではハウジングアセンブリとして称することができる。さらに、バルブスプール１４０は、バルブ機構とすることができる。いくつかの例では、バルブ機構はさらに、ポートプレート１０８を含むことができる。
【００３３】
上述の様々な実施例及び教示は、単に例示のために提供され、本開示の範囲を限定するものと解釈されるべきではない。当業者は、本明細書に図示及び記載される例示的実施例及び用途に従うことなく、また、本開示の真の精神及び範囲から逸脱することなく、行うことができる様々な修正及び変更を容易に認識するであろう。
【図１】
0006731918.tif 000002
【図２】
0006731918.tif 000003
【図３】
0006731918.tif 000004
【図４】
0006731918.tif 000005